(57)【特許請求の範囲】
【請求項１】
引き戸の自動閉扉装置であって、
実質的に長さ方向へは伸びず、且つ、巻回が可能に柔軟とされた閉扉駆動用コードであって、引き戸の開閉方向に延びるようにして、両端にある閉扉位置側端部及び開扉位置側端部が引き戸及び戸枠の一方に取り付けられるようにした閉扉駆動用コードと、
該引き戸及び戸枠の他方に固定される閉扉駆動装置であって、該引き戸及び戸枠の該他方に対して所定位置の軸線の周りで回転可能に取り付けられた回転部材と、該閉扉駆動用コードを該回転部材の周面に係合させ、該引き戸が開閉されるのに伴い該回転部材が該閉扉駆動用コード上で転動するようにする係合保持部材と、引き戸が閉扉位置から開扉位置に向けて動かされるときの該閉扉駆動用コードと該閉扉駆動装置との相対的動きに伴い該回転部材が該閉扉駆動用コード上で転動するに伴い、該回転部材を該転動と反対方向に転動させるバネ付勢力を蓄勢するバネ装置とを有する閉扉駆動装置と
を有する引き戸の自動閉扉装置。
【請求項２】
閉扉駆動用コードは緩みを持たせて該引き戸及び戸枠の一方に取り付けていることを特徴とする請求項１に記載の引戸の自動閉扉装置。
【請求項３】
該閉扉駆動用コードが該戸枠に取り付けられ、該閉扉駆動用コードの該開扉位置側端部が引き戸の開閉方向で伸縮可能な部材を介して戸枠に取り付けられるようにした請求項１に記載の引き戸の自動閉扉装置。
【請求項４】
該閉扉駆動用コードが該引き戸に取り付けられ、該閉扉駆動用コードの該閉扉位置側端部が引き戸の開閉方向で伸縮可能な部材を介して引き戸に取り付けられるようにした請求項１に記載の引き戸の自動閉扉装置。
【請求項５】
該伸縮可能な部材がコイルバネとされている請求項３又は４に記載の引き戸の自動閉扉装置。
【請求項６】
該閉扉駆動用コードがその長さ方向に沿って一定ピッチで設けられたラック歯を有し、該回転部材の該周面が該ラック歯に噛合するピッチで設けられた歯を有する請求項１乃至５のいずれかに記載の引き戸の自動閉扉装置。
【請求項７】
該回転部材の該周面と該閉扉駆動用コードとが摩擦係合するようにされた請求項１乃至５のいずれかに記載の引き戸の自動閉扉装置。
【請求項８】
該閉扉駆動装置が、それが取り付けられる該引き戸又は戸枠に取り外し可能に固定されるケーシングを有し、該ケーシングが該回転部材、該係合保持部材、及び該バネ装置を収納するようにした請求項１乃至７のいずれかに記載の引き戸の自動閉扉装置。
【請求項９】
該ケーシングは、引き戸の開閉方向側壁を有し、該側壁に該閉扉駆動用コードを通すための開口であって、当該引き戸の自動閉扉装置の設定に当たって生じ得る該閉扉駆動用コードの撓みを妨げないサイズの開口を有するようにした請求項８に記載の引戸の自動閉扉装置。
【請求項１０】
引き戸及び戸枠を有し、請求項１乃至９のいずれかに記載された自動閉扉装置が取り付けられた引き戸装置。
【請求項１１】
引き戸の自動閉扉装置キットであって、
実質的に長さ方向へは伸びず、且つ、巻回が可能に柔軟とされた閉扉駆動用コードであって、引き戸の開閉方向に延びるようにして、両端にある閉扉位置側端部及び開扉位置側端部が引き戸及び戸枠の一方に取り付けられるようにした閉扉駆動用コードと、
該引き戸及び戸枠の他方に固定されるケーシングと、該ケーシングに回転可能に取り付けられ、所定軸線の周りで回転可能とされた回転部材と、該ケーシングに取り付けられる係合保持部材であって、該閉扉駆動用コードを当該係合保持部材と該回転部材との間に通し、該閉扉駆動用コードを該回転部材の周面に係合させることにより、該閉扉駆動用コードが、該回転部材と該係合保持部材との間を当該閉扉駆動用コードの長さ方向で変位されるときに、該回転部材が該所定軸線の周りで回転されるようにする係合保持部材と、該ケーシングに取り付けられ、該閉扉駆動用コードが該回転部材と該係合保持部材との間を当該閉扉駆動用コードの長さ方向の所定の一方に変位されてそれにより該回転部材が該閉扉駆動用コード上で転動するに伴い、該回転部材を該転動と反対方向に転動させるバネ付勢力を蓄勢するバネ装置とを有する閉扉駆動装置と
を有し、
該閉扉駆動用コードの該ケーシングから外に延びている部分が巻回された状態とされている
引き戸の自動閉扉装置キット。
【請求項１２】
該閉扉駆動用コードの該ケーシングから外に延びた部分が曲げられて、当該閉扉駆動用コードが全体として少なくとも１巻きだけ巻回された状態とされている請求項１１に記載の引き戸の自動閉扉装置キット。
【請求項１３】
該閉扉駆動用コードが、その一端部分をコイルバネにより構成されてなる請求項１１又は１２に記載の自動閉扉装置キット。
【請求項１４】
該閉扉駆動用コード及び該閉扉駆動装置を載せる支持シートと、該支持シート上の該閉扉駆動用コード及び該閉扉駆動装置を覆うようにして、該支持シートに接するように取り付けられたカバー材とを有する請求項１１乃至１３のいずれかに記載の自動閉扉装置キット。
【請求項１５】
該カバー材が透明とされている請求項１４に記載の自動閉扉装置キット。
【請求項１６】
該バネ装置が、
該回転部材と同軸状にされた軸体と、
一端を該軸体に連結され、該軸体の周りに巻かれて他端が該回転部材の内壁面と連結されたゼンマイバネであって、引き戸が閉扉位置から開扉位置に向けて動かされるときに該閉扉駆動用コード上で転動し、該軸体に対して相対的に回転する該回転部材によって該軸体の周りで巻き込まれるゼンマイバネと、
該軸体の一端に固定されたバネ付勢力調整部材と、
該閉扉駆動装置の所定位置に設けられ、該バネ付勢力調整部材の外周面に弾性係合することにより、該軸体を所定の回動位置に保持する回転阻止部材と、
を有する請求項１記載の引き戸の自動閉扉装置。
【請求項１７】
該バネ付勢力調整部材の外周面が多角形とされ、該回転阻止部材が、該多角形の少なくとも１つの面に弾性係合するバネ部材により形成されている請求項１６記載の引き戸の自動閉扉装置。
【請求項１８】
該バネ付勢力調整部材が、ほぼ円形の外周面を有し、その周方向で間隔をあけて設けられた複数の凹部を有し、
該回転阻止部材が該凹部に弾性係合される係合突起を有するバネ部材から形成されている請求項１６に記載の引き戸の自動閉扉装置。
【請求項１９】
該バネ部材が、該回転部材に接するように延びる細長いバネ部材であって、その両端が該閉扉駆動装置に固定され、中間位置に該係合突起が設けられている請求項１８に記載の引き戸の自動閉扉装置。
【請求項２０】
該バネ部材の一端が該閉扉駆動装置に固定され、該バネ付勢力調整部材に隣接する他端に向けて延び、該他端に該係合凸部が設けられている請求項１８に記載の引き戸の自動閉扉装置。
【請求項２１】
該バネ付勢力調整部材に隣接して、該軸体と平行な軸線の周りで回転可能とされ、該バネ付勢力調整部材と係合して該ゼンマイバネの巻き込みすぎを防止する巻き過ぎ防止部材を有し、
該バネ付勢力調整部材は、その外周面に１つの凸部を有し、
該巻き過ぎ防止部材は、その外周面に周方向の所定角度範囲において所定間隔をあけて設けた複数の凹部を有し、
該凸部は該バネ付勢力調整部材が１回転する毎に、該凹部が順次係合して該巻き過ぎ防止部材を所定角度ごと回転し、最後の凹部と係合した後は、該巻き過ぎ防止部材の外周面と係合することにより当該バネ付勢力調整部材の更なる回転が阻止されるようになされている請求項１８乃至２０のいずれかに記載の引き戸の自動閉扉装置。
【請求項２２】
該凸部にはバネ部材通過用凹部が設けられて、バネ付勢力調整部材が回転して該凸部が該バネ部材の係合突起を通過する際に、該凸部と該バネ部材の係合突起とが当接して該バネ付勢力調整部材の回転を阻害しないようにした請求項２１に記載の引き戸の自動閉扉装置。
【請求項２３】
更に、少なくとも一部が該巻き過ぎ防止部材に当接し、該巻き過ぎ防止部材にその回転に対する抵抗力を付与する回転力抵抗部材を有する請求項２１又は２２に記載の引き戸の自動閉扉装置。
【請求項２４】
該巻き過ぎ防止部材が、該軸線に沿って設けられた第２の軸体の周りに嵌合されて、該軸体の周面に摩擦係合される内周面を有し、該第２の軸体の周りで回動可能とされている請求項２１又は２２に記載の自動閉扉装置。
【請求項２５】
該内周面が、全体として円形とされ、該円形の内周面の少なくとも一部に、該内周面よりも半径方向内側に延びて、該第２の軸体の周面と摩擦係合する回転力抵抗部材を有する請求項２４に記載の自動閉扉装置。
【請求項２６】
該内周面が、その周方向で所定間隔をあけて設けられた複数の凹部を有し、該凹部が該内周面よりも半径方向外側に位置し、半径方向内側に面する底面を有し、該底面から半径方向内側に突出して、その先端部分が該内周面の内側位置となり、該第２の軸体に押圧係合するようにした凸部を有し、該凸部が該回転力抵抗部材を構成するようにした請求項２５に記載の自動閉扉装置。
【発明の詳細な説明】
【技術分野】
【０００１】
本発明は引き戸の自動閉扉装置に関する。
【背景技術】
【０００２】
開扉した引き戸を自動的に閉扉する装置には、いくつかの形式があるが、その一つの形式としては、戸枠の上部水平枠部に水平に設定された直線状のラックと、引き戸に固定され、上記ラックと作用的に連結されて引き戸が開扉されたときに、該引き戸を閉扉するよう駆動する閉扉駆動装置とからなるものがある。具体的には、閉扉駆動装置は、引き戸に固定されるケーシングと、該ケーシングに回転自在に取り付けられ上記ラックと噛合され、引き戸を開閉することに伴ってラックに沿って転動する歯車と、該歯車との間に上記ラックを通し、該ラックと上記歯車との噛合を維持するホルダーと、引き戸を開扉するときに上記歯車がラックに沿って転動することに伴い該引き戸を閉扉させるバネ付勢力を蓄勢するバネ装置と、開扉されて人の手が離された引き戸が上記バネ装置によって閉扉されるときに制動をかける制動装置を有する。（例えば、特許文献１参照）
【０００３】
この形式の自動閉扉装置では、通常、金属若しくは硬質プラスチックにより形成されるラックの可撓性を利用し、引き戸が開閉時に上下したとしても、それに応じて該ラックが撓み、引き戸の開閉に支障がないようにしている。
【特許文献１】特開平１１−１５２９５５
【発明の開示】
【発明が解決しようとする課題】
【０００４】
しかし、このような形式の引き戸の自動閉扉装置においては、基本的に直線状のラックを水平に設定すること必要がある。更に、閉扉駆動装置は、歯車とホルダーとの間に該ラックを水平に通すように、歯車とホルダーとの間に形成されるラックを通すためのロック挿通路を水平になるようにして引き戸に固定する必要がある。
【０００５】
しかし、そのような設定作業は難しく、特に、家庭ですでに取り付けられている引き戸に、一般の人がこのような自動閉扉装置を購入し取り付けようとすることは極めて困難な作業になる。ラック及び閉扉駆動装置が水平に取り付けられないと、ラックが上述のように可撓性があったとしても、引き戸の円滑な開閉には支障となりやすい。このため上記特許文献に開示された装置では、ラックの両端を上下動自在に取り付けることにより、引き戸の上下動に対応することができるようにしている。しかし、例えば、閉扉駆動装置がラックを斜めに通すように取り付けられた場合には、やはり引き戸の円滑な開閉に支障が生じやすい。
【０００６】
本発明は、このような点に鑑み、取り付けが容易で、一般の人でも簡単に取り付けができ、上記ラックに相当する部材（本発明では閉扉駆動用コードとしている）や閉扉駆動装置が水平に設定されなくとも、引き戸の開閉には全く支障なく引き戸の開閉を行うことができるようにした引き戸の自動開閉装置を提供することを目的とする。
【課題を解決するための手段】
【０００７】
すなわち、本発明は、引き戸（以下に述べる実施形態においては、参照番号２０で示す。以下同じ）の自動閉扉装置（１０）であって、
実質的に長さ方向へは伸びず、且つ、巻回が可能に柔軟とされた閉扉駆動用コード（１８）であって、引き戸の開閉方向に延びるようにして、両端にある閉扉位置側端部（２４）及び開扉位置側端部（２６）が引き戸及び戸枠の一方に取り付けられるようにした閉扉駆動用コード（１８）と、
該引き戸及び戸枠の他方に固定される閉扉駆動装置（２２）であって、該引き戸及び戸枠の該他方に対して所定位置の軸線の周りで回転可能に取り付けられた回転部材（３２）と、該閉扉駆動用コードを該回転部材の周面に係合させ、該引き戸が開閉されるのに伴い該回転部材が該閉扉駆動用コード上で転動するようにする係合保持部材（３６）と、引き戸が閉扉位置から開扉位置に向けて動かされるときの該閉扉駆動用コードと該閉扉駆動装置との相対的動きに伴い該回転部材が該閉扉駆動用コード上で転動するに伴い、該回転部材を該転動と反対方向に転動させるバネ付勢力を蓄勢するバネ装置とを有する閉扉駆動装置（２２）と
を有する引き戸の自動閉扉装置を提供する。
【０００８】
この自動閉扉装置においては、閉扉駆動用コードがその長さ方向には実質的には伸びず、且つ、巻回が可能に柔軟とされているので、該コードを引き戸の閉扉方向に設定するときに、前述の従来装置のように必ずしも開閉方向に正確に平行に設定する必要はない。すなわち、該コードがたとえば緩んだ状態であっても該コードは係合保持部材によって回転部材に係合され、しかも、巻回可能な程度に柔軟であるために、当該コードに無理な力がかからず、引き戸の円滑な開閉に支障となるようなことはない。また、該コードが斜めに設定されたとしても、当該コードが柔軟であるために、回転部材の該コードに沿った転動に対して支障を生じることはない。閉扉駆動装置の設定も同様である。
【０００９】
従って、前述の従来の自動閉扉装置に比べて、その取り付けが極めて容易となり、一般の人でも楽に設定することができる。
【００１０】
具体的には、閉扉駆動用コードは緩みを持たせて引き戸及び戸枠の一方に取り付けるようにすることができる。閉扉駆動用コードにある程度の緩みを持たせることにより、閉扉駆動装置を厳格に位置決めして取り付ける必要が無く、楽に設定することができる。
【００１１】
また、該閉扉駆動用コードを該戸枠に取り付け、該閉扉駆動用コードの開扉位置側端部をコイルバネ（４４）などの引き戸の開閉方向で伸縮可能な部材を介して戸枠に取り付けるようにすることができる。または、閉扉駆動用コードを引き戸に取り付け、該閉扉駆動用コードの閉扉位置側端部を引き戸の開閉方向で伸縮可能な部材を介して引き戸に取り付けるようにすることもできる。
【００１２】
このようにすることにより、閉扉駆動用コードを引き戸の開閉方向に緩みのない状態で容易に戸枠に取り付けることが可能となり、しかも、閉扉駆動用コードと閉扉駆動装置の回転部材及び係合保持部材との整合が必ずしも完全でなくとも、無理なく適合できるようにすることができる。
【００１３】
また、閉扉駆動用コード（１８）がその長さ方向に沿って一定ピッチで設けられたラック歯（２８）を有し、該回転部材の該周面が該ラック歯に噛合するピッチで設けられた歯を有するようにすることができる。
【００１４】
上記のごとくラック歯を設ける代わりに、回転部材の該周面と該閉扉駆動用コードとが摩擦係合するようにすることもできる。
【００１５】
更に、閉扉駆動装置が、それが取り付けられる引き戸又は戸枠に取り外し可能に固定されるケーシングを有し、該ケーシングが該回転部材、該係合保持部材、及び該バネ装置を収納するようにし、閉扉駆動装置を一体のものとして引き戸に取り付けるようにすることができる。具体的には、ケーシングは、引き戸の開閉方向側壁を有し、該側壁にケーブルを通すための開口であって、当該引き戸の自動閉扉装置の設定に当たって生じ得る撓みを妨げないサイズの開口を有するようにすることができる。
【００１６】
本発明はまた、引き戸及び戸枠を有し、上述の如き自動閉扉装置が取り付けられた引き戸装置をも提供する。
【００１７】
本発明は更に、
引き戸の自動閉扉装置キットであって、
実質的に長さ方向へは伸びず、且つ、巻回が可能に柔軟とされた閉扉駆動用コードであって、引き戸の開閉方向に延びるようにして、両端にある閉扉位置側端部及び開扉位置側端部が引き戸及び戸枠の一方に取り付けられるようにした閉扉駆動用コードと、
該引き戸及び戸枠の他方に固定されるケーシングと、該ケーシング内に回転可能に取り付けられ、所定軸線の周りで回転可能とされた回転部材と、該ケーシング内に取り付けられる係合保持部材であって、該閉扉駆動用コードを当該係合保持部材と該回転部材との間に通し、該閉扉駆動用コードを該回転部材の周面に係合させることにより、該閉扉駆動用コードが、該回転部材と該係合保持部材との間を当該閉扉駆動用コードの長さ方向で変位されるときに、該回転部材が該所定軸線の周りで回転されるようにする係合保持部材と、該ケーシング内に取り付けられ、該閉扉駆動用コードが該回転部材と該係合保持部材との間を当該閉扉駆動用コードの長さ方向の所定の一方に変位されてそれにより該回転部材が該閉扉駆動用コード上で転動するに伴い、該回転部材を該転動と反対方向に転動させるバネ付勢力を蓄勢するバネ装置とを有する閉扉駆動装置と
を有し、
該閉扉駆動用コードの該ケーシングから外に延びている部分が巻回された状態とされている
引き戸の自動閉扉装置キットを提供する。
【００１８】
具体的には、閉扉駆動用コードのケーシングから外に延びた部分が曲げられて、当該閉扉駆動用コードが全体として少なくとも１巻きだけ巻回された状態とされたにものとすることができる。
【００１９】
閉扉駆動用コードは巻回されているので、当該キットを小さくまとめることができ、流通販売がしやすくなる。
【００２０】
該閉扉駆動用コードが、その一端部分をコイルバネにより構成されたものとすることができる。
【００２１】
更に、
閉扉駆動用コード及び閉扉駆動装置を載せる支持シートと、支持シート上の閉扉駆動用コード及び閉扉駆動装置を覆うようにして、支持シートに接するように取り付けられたカバー材とを有するものとして、流通販売がよりしやすいものとすることもできる。具体的には、該カバー材が透明とされている。
【００２２】
本発明では、更に、
上記の如き自動閉扉装置キットを用意し、
閉扉駆動装置のケーシングを引き戸及び戸枠の一方に固定し、
引き戸を閉扉した状態において、閉扉駆動用コードの閉扉位置側端部を引き戸及び戸枠の他方に固定し、
閉扉駆動用コードを該引き戸の開閉方向に延ばして、閉扉駆動用コートの開扉側端部を引き戸及び戸枠の他方に固定するようにして
自動閉扉装置キットを当該引き戸及び戸枠に設定するようにした自動閉扉装置キットの設定方法を提供する。
【００２３】
閉扉駆動装置を固定しておいて、該閉扉駆動装置に対して閉扉駆動用コードを開閉方向で適宜変位させることで、当該閉扉駆動用コードを容易且つ適正に設定することができる。
【００２４】
別の方法としては上記の如き自動閉扉装置キットを用意し、
閉扉駆動用コードの閉扉位置側端部を引き戸及び戸枠の一方に固定し、
引き戸を閉扉し、閉扉駆動用コードを固定した閉扉位置側端部から引き戸の開方向に延ばした状態において、閉扉駆動装置のケーシングを引き戸及び戸枠の他方に固定し、
閉扉駆動用コードを閉扉位置側端部から開扉位置側端部の方向へ伸ばした状態で該引き戸及び戸枠の該一方に固定するようにして
当該自動閉扉装置キットを当該引き戸及び戸枠に設定するようにすることもできる。
【００２５】
この場合も、閉扉駆動用コードの閉扉位置側端部を引き戸及び戸枠の一方に固定した状態としておいて、閉扉駆動装置を適宜位置決めができ、従って、容易且つ適正な設定が可能となる。
【００２６】
本発明では、更に、自動閉扉装置（２２）を、
該バネ装置が、
該回転部材と同軸状にされた軸体と、
一端を該軸体に連結され、該軸体の周りに巻かれて他端が該回転部材の内壁面と連結されたゼンマイバネであって、引き戸が閉扉位置から開扉位置に向けて動かされるときに該閉扉駆動用コード上で転動し、該軸体に対して相対的に回転する該回転部材によって該軸体の周りで巻き込まれるゼンマイバネと、
該軸体の一端に固定され、略円形の外周面を有し、その周方向で間隔をあけて設けられた複数の係合凹部（１５４）を有するバネ付勢力調整部材（１５２）と、
該閉扉駆動装置（２２）の所定位置に設けられ、該バネ付勢力調整部材（１５２）の外周面に該係合凹部（１５４）に弾性係合することにより、該軸体を所定の回動位置に保持する回転阻止部材（１４２），（２４２）とを有するようにすることができる。
【００２７】
このように構成することにより、より軽量化を図りつつ、バネ装置に蓄勢されるバネ力を、自動閉扉装置を組み立てた後でも、簡易且つ簡便に調整することが可能となる。
【００２８】
また、本発明では、上記の回転阻止部材を具備する形態の具体的な構成として、
該回転阻止部材（１４２）が、該回転部材に接するように延びる細長いバネ部材であって、その両端が該閉扉駆動装置に固定され、中間位置に、該バネ付勢力調整部材（１５２）に向けて突出し、該係合凹部５４に弾性係合される係合部（１４２−１）を有するバネ部材を備えるようにしたり、
該回転阻止部材（２４２）が、一端が該閉扉駆動装置に固定され、該バネ付勢力調整部材に隣接する他端に向けて延びる細長いバネ部材であって、該他端に該バネ付勢力調整部材（１５２）の外周面に向けて突出し、係合凹部（１５４）に弾性係合される係合凸部（２４２−１）を有するバネ部材を備えるようにすることができる。
【００２９】
また、本発明では更に、
該バネ付勢力調整部材（１５２）に隣接して、該軸体と平行な軸線の周りで回転可能とされ、該バネ付勢力調整部材（１５２）と係合して該ゼンマイバネの巻き込みすぎを防止する巻き過ぎ防止部材（１５８）を有し、
該バネ付勢力調整部材（１５２）は、その外周面に１つの凸部（１６４）を有し、
該巻き過ぎ防止部材（１５８）は、その外周面に周方向の所定角度範囲において所定間隔をあけて設けた複数の凹部（１６２）を有し、
該バネ付勢力調整部材（１５２）が１回転する毎に、該凸部（１６４）が該凹部（１６２）に順次係合して該巻き過ぎ防止部材（１５８）を１増分回転し、最後の凹部（１６２）と係合した後は、該バネ付勢力調整部材（１５２）の該凸部（１６４）が該巻き過ぎ防止部材（１５８）の外周面と係合することにより当該バネ付勢力調整部材（１５２）の更なる回転が阻止されるようになされているようにすることができる。
【００３０】
このように巻き過ぎ防止部材を備えることにより、バネ付勢力調整部材の巻き過ぎを効率よく防止して、装置を安定した状態で使用することができる。
【００３１】
本発明は、更に、
該凸部（１６４）にはバネ部材通過用凹部（１６８）が設けられて、バネ付勢力調整部材が回転して該凸部（１６４）が該バネ部材の該係合部（１４２−１）を通過する際に、該バネ部材通過用凹部（１６８）が該バネ部材（１４２）の係合部（１４２−１）の周りを通って該凸部（１６８）と該バネ部材の係合部（１４２−１）とが当接して該バネ付勢力調整部材（５２）の回転を阻害しないようにすることができる。
【００３２】
これにより、バネ付勢力調整部材が回転する際に、バネ部材に過剰の負荷をかけることがなくなり、装置を安定して使用することが可能となると共に装置を長期間使用可能とすることができる。
【００３３】
更に、少なくとも一部が該巻き過ぎ防止部材（１５８）に当接し、該巻き過ぎ防止部材（１５８）にその回転に対する抵抗力を付与する回転力抵抗部材（１６６）を有するようにすることができる。
【００３４】
また、該巻き過ぎ防止部材（６５８）が、該軸線に沿って設けられた第２の軸体の周りに嵌合されて、該軸体の周面に摩擦係合される内周面（６５８−１）を有し、該第２の軸体の周りで回動可能とされているようにすることができる。
【００３５】
そして、該内周面（６５８−１）が、全体として円形とされ、該円形の内周面の少なくとも一部に、該内周面よりも半径方向内側に延びて、該第２の軸体の周面と摩擦係合する回転力抵抗部材（６８４）を有するようにすることができる。
【００３６】
具板的には、該内周面が、その周方向で所定間隔をあけて設けられた複数の凹部（６８４−２）有し、該凹部が該内周面よりも半径方向外側に位置し、半径方向内側に面する底面を有し、該底面から半径方向内側に突出して、その先端部分が該内周面の内側位置となり、該第２の軸体に押圧係合するようにした凸部（６８４−１）を有し、該凸部（６８４−１）が該回転力抵抗部材（６８４）を構成するようにすることができる。
【発明を実施するための最良の形態】
【００３７】
以下、本発明の実施形態を添付図面に基づき説明する。
【００３８】
図１は、本発明に係る引き戸の自動閉扉装置１０を取り付けた引き戸装置１２を示す。
【００３９】
図示のように、この自動閉扉装置１０は、戸枠１４の上部枠部１６に固定された閉扉位置側端部２４と開扉位置側端部２６とを有する閉扉駆動用コード１８と、引き戸２０に固定され、閉扉駆動用コード１８に作用的に連結されている閉扉駆動装置２２とを有する。
【００４０】
閉扉駆動用コード１８は、実質的にその長さ方向へは伸びず、且つ、巻回が可能な程度に柔軟とされ、引き戸２０の開閉方向（図示の例では水平方向）に延びるようにして、両端にある閉扉位置側端部２４及び開扉位置側端部２６が上部枠部１６に取り付けられている。巻回が可能な程度に柔軟とは、前述の特許文献１に開示されているような、合成樹脂や金属でできているラックのように、細長くつくられているために、開閉される引き戸が上下動するのに対応するような程度に可撓性を有するというのではなく、例えば、実際に巻き取ることができる程度に柔軟なことを意味する。本願発明者が行った試作品では、３０ｃｍ程度に巻取りが可能な程度に柔軟なラックを用いることにより、取付けがきわめて容易で、しかも、円滑な開閉操作が可能な自動閉扉装置とすることができた。
【００４１】
図２に示すように、この閉扉駆動用コード１８は、具体的には、鋼などの芯線と該芯材の周りに設けられた硬質の樹脂層とからなり、該樹脂層に当該閉扉駆動用コードの長さ方向に沿って一定ピッチでラック歯２８を形成したものとすることができる。閉扉位置側端部２４及び開扉位置側端部２６には、ハトメなどを取り付け、上部枠部１６にネジなどにより取り付けることができる。
【００４２】
閉扉駆動装置２２は、引き戸２０に固定されるケーシング３０と、該ケーシングに回転可能に取り付けられた回転部材としての歯車３２と、閉扉駆動用コード１８のラック歯２８を歯車３２の歯３４に係合させ、該引き戸２０が開閉されるのに伴い該歯車３２が閉扉駆動用コード１８に沿って転動するようにする係合保持部材３６と、歯車３２の内側に該歯車と同心状に設けられたゼンマイバネ（図示せず）を有し、引き戸２０が閉扉位置から開扉位置に向けて動かされるときの歯車３２の転動に伴い、該歯車３２を該転動と反対方向に転動させるバネ付勢力を蓄勢するバネ装置とを有する。
【００４３】
バネ装置は、具体的には、ゼンマイバネの一端が歯車３２と同軸状に設けられた軸体（図示せず）に連結され、他端が歯車３２の内周面に連結されており、該軸体は、図で見て、その手前側の端部に固定された六角形状のバネ付勢力調整部材５２にバネ部材４２を係合されることにより、所定の角度位置に保持されるようになっている。すなわち、バネ付勢力調整部材５２は、その中央部分に設けられた直線状の溝５２−１にドライバの先端を係合させて回転することにより当該軸体を回転し、該軸体の周りでのゼンマイバネの巻き込みの程度を調節するようになっている。バネ部材４２は、Ｕ字状とされ、その両端と中央部分がケーシング３０に固定され、２つの直線部分４２´が、バネ付勢力調整部材５２の六角形外周面の対向する２面と係合することにより、該バネ付勢力調整部材を所要の回動位置に保持するようになっている。
【００４４】
ケーシングには、図２及び図３に示すように、その左右両壁には閉扉駆動用コード１８を通すための開口３３が設けられており、該開口はケーシングの上部壁まで延び、閉扉駆動用コード１８が、当該引き戸自動閉扉装置の取付けに当たって生じ得る撓みの支障にならないようにしている。また、歯車３２の歯幅は、ラック歯の幅より広くして、両歯の間の安定した係合を図ることが好ましい。
【００４５】
係合保持部材３６は、ケーシング３０の一部として形成しても、別体として該ケーシングに固定するようにしてもよく、横断面が下向きのコ字状として閉扉駆動用コード１８を両側から挟むように保持するようにすることが好ましい。このようにすることにより、閉扉駆動用コード１８が、図４に示すように、その水平視で、当該閉扉駆動装置２２を直線状に通らないように設定されたとしても、歯車３２から外れることなく当該閉扉駆動装置が円滑に動けるようにすることができる。また、この係合保持部材３６は、ローラ状のものとしてケーシングに回転自在に取り付け、閉扉駆動用コードとの摩擦をなるべく少なくするようにすることもできる。
【００４６】
図示の例では、閉扉駆動装置２２は、歯車３２に噛合された歯車３８を有し、引き戸３２の閉扉位置に向けての動きに伴い歯車３２が回動されるときに、該回動を制動するための制動装置４０が設けられている。この制動装置は、例えば上述した特許文献１などに開示されており当業者には周知であるので、詳細な説明は省略する。
【００４７】
図５は、図２に示した実施形態の変形例を示す。
【００４８】
すなわち、この実施形態においては、閉扉駆動用コード１８の開扉位置側端部２６にコイルバネ４４が取り付けられており、当該開扉位置側端部２６が該コイルバネを介して上部枠部１６に取り付けられている。
【００４９】
このようにすることにより、コイルバネを僅かに伸びるような状態で該閉扉駆動用コードを上部枠部に取り付けることにより、当該コードをたるみのない状態で設定することができる。また、その取付位置も、コイルバネにより限定されたものとならず、容易に設置できる。
【００５０】
本発明の実施形態につき説明したが、本発明はこれに限定されるものではなく、たとえば、回転体としての歯車をＶ形プーリのようなものとし、閉扉駆動用コードをＶベルトとすることも可能である。
【００５１】
図６は、上述した引き戸の自動閉扉装置のキット４６を示す。すなわち、このキットは、閉扉駆動用コード１８と閉扉駆動装置２２とを有し、閉扉駆動用コード１８のケーシング３０から外に延びている部分が巻回され、全体として少なくとも１巻きだけ巻回された状態とされている。具体的な例では、この巻回の直径はほぼ３０ｃｍとされる。また、このキットは、閉扉駆動用コード１８及び閉扉駆動装置２２を載せる支持シート４８と、支持シート４８上の閉扉駆動用コード１８及び閉扉駆動装置２２を覆うようにして、支持シート４８に密接するように取り付けられたカバー材（図示せず）とを有している。このカバー材は透明とされ、内部が見えるようにすることが好ましい。
【００５２】
この自動閉扉装置キットを、引き戸及び戸枠に設定するには、次のようにして行う。
【００５３】
先ず、閉扉駆動装置２２のケーシング３０を引き戸及び戸枠の一方に固定し、該引き戸を閉扉した状態において、閉扉駆動用コード１８の閉扉位置側端部２４を引き戸及び戸枠の他方に固定する。次に、閉扉駆動用コード１８を引き戸２０の開閉方向に延ばして、該閉扉駆動用コートの開扉側端部２４を引き戸及び戸枠の他方に固定する。
【００５４】
この場合、閉扉駆動装置２２は、閉扉駆動用コード１８の閉扉位置側端部２４を固定してから、該閉扉駆動用コード１８に沿って適宜動かすことができるので、適切な位置に設定することができる。
【００５５】
別の方法としては、閉扉駆動用コード１８の閉扉位置側端部２４を引き戸及び戸枠の一方に固定し、引き戸２０を閉扉し、閉扉駆動用コード１８を、固定した閉扉位置側端部から引き戸の開方向に延ばした状態において、閉扉駆動装置２２を当該閉扉駆動用ケーブルに沿って動かし、そのケーシングを引き戸及び戸枠の他方に適切な位置に固定し、次に、閉扉駆動用コード１８を閉扉位置側端部から開扉位置側端部の方向へ伸ばした状態で引き戸及び戸枠の該一方に固定する。
【００５６】
この場合も、閉扉位置側端部を固定した閉扉駆動用コード１８に対して、閉扉駆動装置２２を適宜変位させた後に固定することができ、適切な位置に設定することができる。
【００５７】
図７〜９は、本発明の他の実施形態に係る閉扉駆動装置２２を示す。
【００５８】
以下、この実施形態につき説明するが、上述の図１〜４に示す装置と基本的構成は同じであり、同じ部材については同じ参照番号を付して示し、その説明は省略する。
【００５９】
この閉扉駆動装置２２が図１〜４に示した装置と異なるところは、バネ付勢力調整部材１５２と、該バネ付勢力調整部材を所要の角度位置に保持する回転阻止部材としてのバネ部材１４２と、バネ付勢力調整部材１５２に隣接して設けられたほぼ円形の巻き過ぎ防止部材１５８とにある。
【００６０】
すなわち、バネ付勢力調整部材１５２は、ほぼ円形の外周面を有し、該外周面にはその周方向で所定間隔あけて複数の係合凹部１５４が設けられている。
【００６１】
また、バネ部材１４２は、バネ力調整部材１５２に接するように設定された棒状のバネ材である。バネ部材１４２のほぼ中央部には、係合突起としての係合凸部１４２−１が設けられ、該係合凸部１４２−１が係合凹部１５４と弾性係合することにより、該バネ付勢力調整部材１５２を所要の角度位置に保持するようになっている。
【００６２】
巻き過ぎ防止部材１５８は、歯車３２内部のゼンマイバネの巻き過ぎを防止するためのものであり、該軸体と平行な軸線の周りで回転可能とされ、その円形外周面には、周方向所定角度範囲において等間隔を開けて複数の凹部１６２が設けられている。これに対応して、バネ付勢力調整部材１５２には、その周面に１つの凸部１６４が設けられ、バネ付勢力調整部材が一回転される毎に、該凸部１６４が凹部１６２と係合して、巻き過ぎ防止部材１５８を所定角度だけ回動するようになっている。
【００６３】
バネ付勢力調整部材１５２が所定回数回転されると、巻き過ぎ防止部材１５８の外周面には凸部１６４が係合する凹部１６２がなくなるために、該バネ付勢力調整部材が更に回転しようとしても、巻き過ぎ防止部材により、その回転が阻止されて、ゼンマイバネの巻き過ぎが防止されるようになっている。
【００６４】
図８に示すように、バネ付勢力調整部材１５２は、その中央部分がケーシング３０の壁に設けた開口内に突出するようにされ、直線状の溝１５２−１が外部に露出するようにされている。巻き過ぎ防止部材１５８は、ケーシングの壁に設けられた、第２の軸体としての軸部３０−１の周りに回転可能に取り付けられている。また、巻き過ぎ防止部材１５８と軸部３０−１との間には回転力抵抗部材としてのＯリング１６６が設けられており、摩擦力による巻き過ぎ防止部材の回転方向における抵抗力を付与している。これにより、巻き過ぎ防止部材１５８の凹部１６２がバネ付勢力調整部材１５２の係合凸部１４２との係合から外れた場合でも、回転方向でがたつかずに静止するようにしている。
【００６５】
また、図９に示すように、凸部１６４は、その幅方向中央部分に半円形状の凹部１６８が形成されている。これは、該凸部１６４がバネ部材１４２の係合凸部１４２−１のところを通るときに、該凹部１６８が係合凸部１４２−１を跨ぐようにして通過できるようにするものである。
【００６６】
尚、閉扉駆動用コード１８の両端部２４，２６は、それぞれ、位置調整部材１７２に取り付けられている。位置調整部材１７２は上下方向で並べられた複数の凹部を有しており、端部２４，２６を適宜の凹部に引っ掛けることにより当該端部の高さを調整する。
【００６７】
図１０は、本発明の更に別の実施形態に係る閉扉駆動装置を示しており、該装置は、巻き過ぎ防止部材１５８に抵抗力を付与する部材として図９に示したＯリング１６６ではなく、巻き過ぎ防止部材の外周面に係合するようにした板バネ１７４を用いている。この点で、図７〜９に示す形態と異なり、これ以外の点は同じである。
【００６８】
図１１は、本発明の更に別の実施形態に係る閉扉駆動装置を示しており、該装置は、回転阻止部材としてのバネ部材２４２が図７に示す形態と異なる。すなわち、バネ部材２４２は、その一端がケーシングに固定されて、ほぼ９０°に折り曲げられて設置されており、その他端に係合凹部１５４と係合する係合部２４２−１が設けられている。この点で、図７〜９に示す形態と異なり、これ以外の点は同じである。
【００６９】
図１２は、本発明の更に別の実施形態に係る閉扉駆動装置を示しており、該装置は、回転阻止部材としてのバネ部材３４２が図７に示す形態と異なる。すなわち、バネ部材３４２は、その両端がケーシングに固定された棒状のバネ材が、バネ付勢力調整部材１５２を挟んで対向する位置に２つ設けられている。この点で、図７〜９に示す形態と異なり、これ以外の点は同じである。
【００７０】
図１３は、本発明の更に別の実施形態に係る閉扉駆動装置を示しており、該装置は、回転阻止部材としてのバネ部材４４２が図７に示す形態と異なる。すなわち、バネ部材４４２は、その両端及び中央部分がケーシングに固定された、Ｕ字状のバネ材であり、Ｕ字状のバネ材の直線部分でバネ力調整部材１５２を挟さみ、該直線部分の中央部に設けられた係合凸部４４２−１が係合凹部１５４と係合するようになされている。この点で、図７〜９に示す形態と異なり、これ以外の点は同じである。
【００７１】
図１４は、本発明の更に別の実施形態に係る閉扉駆動装置を示しており、巻き過ぎ防止部材の外周面に係合するように板バネ４７４が設けられて、巻き過ぎ防止部材に抵抗力を付与している点で、図１３に示す形態と異なり、これ以外の点は同じである。
【００７２】
図１５は、本発明の更に別の実施形態に係る閉扉駆動装置を示しており、該装置は、バネ付勢力調整部材５５２、回転阻止部材としてのバネ部材５４２、及び巻き過ぎ防止部材５５８が図７に示す形態と異なる。すなわち、バネ付勢力調整部材５５２は、六角形状の外周面を有し、バネ部材５４２は１本の棒状のバネ材を３回折り込んでＭ字状としており、両端部が固定されているとともに折り込んで湾曲した部分もそれぞれ固定されている。そしてバネ付勢力調整部材５５２は、その対向する２面がバネ部材５４２と係合している。巻き過ぎ防止部材５５８は、ほぼ円形であり、六角形状のバネ付勢力調整部材５５２の各頂点部分と係合する複数の凹部５６２をその外周面全面に渡って有する。また、外周面には１つの突出部５８２が設けられており、バネ付勢力調整部材５５２が突出部５８２と係合すると、その回転が停止されるようにされている。これらの点で、図７〜９に示す形態と異なり、これら以外の点は同じである。
【００７３】
図１６（ａ）及び（ｂ）は、本発明の更に別の実施形態に係る閉扉駆動装置に用いられる巻き過ぎ防止部材を示している。本実施形態の巻き過ぎ防止部材６５８は、図7に示す実施形態の閉扉駆動装置において、巻き過ぎ防止部材１５８及びＯリング１６６の代わりに用いることができる。
【００７４】
本実施形態の巻き過ぎ防止部材６５８は、第２の軸体としてのケーシングの軸部（図７〜９に示す３０−１）に当接する全体として円形とされた内周面６５８−１に、巻き過ぎ防止部材６５８にその回転に対する抵抗力を付与する回転力抵抗部材６８４が、等間隔に３箇所設けられている。各回転力抵抗部材６８４は、内周面６５８−１に設けられた凹部（６８４−２）の底面から半径方向内側に突出して、その先端部分が該内周面の内側位置となり、該第２の軸体に押圧係合するようにした凸部（６８４−１）により構成されている。この回転力抵抗部材を有することで、摩擦力による巻き過ぎ防止部材の回転方向における抵抗力を付与している。
【図面の簡単な説明】
【００７５】
【図１】本発明に係る自動閉扉装置を取り付けた引き戸装置の概要を示す図であり、右に該自動閉扉装置を正面から見た図、左に同自動閉扉装置を側面から見た図を示してある。
【図２】本発明にかかる自動閉扉装置の第１の実施形態を示すものであり、閉扉駆動装置の内部を示すように当該閉扉駆動装置のケーシングの手前の側壁を除いて示してある。
【図３】図２の自動閉扉装置を上方から見た図である。
【図４】図２の自動閉扉装置における閉扉駆動装置に対して閉扉駆動用コードが直線的に通らない場合の例を示す図である。
【図５】本発明にかかる自動閉扉装置の第２の実施形態を示すものであり、図２に類似する図である。
【図６】本発明に係る自動閉扉装置のキットを示す図である。
【図７】本発明にかかる自動閉扉装置の第３の実施形態を示すものであり、図２に類似する図である。
【図８】図7に示す自動閉扉装置のＡ−Ａ断面図である。
【図９】図８の一部拡大図である。
【図１０】本発明にかかる自動閉扉装置の第４の実施形態を示すものであり、図２に類似する図である。
【図１１】本発明にかかる自動閉扉装置の第５の実施形態を示すものであり、図２に類似する図である。
【図１２】本発明にかかる自動閉扉装置の第６の実施形態を示すものであり、バネ付勢力調整部材、バネ部材及び巻き過ぎ防止部材のみを示す図である。
【図１３】本発明にかかる自動閉扉装置の第７の実施形態を示すものであり、図１２に類似する図である。
【図１４】本発明にかかる自動閉扉装置の第８の実施形態を示すものであり、図１２に類似する図である。
【図１５】本発明にかかる自動閉扉装置の第９の実施形態を示すものであり、図２に類似する図である。
【図１６】本発明にかかる自動閉扉装置の第１０の実施形態を示すものであり、（ａ）は巻き過ぎ防止部材の他の態様を示す図であり、（ｂ）はそのＢ−Ｂ断面図である。
【符号の説明】
【００７６】
自動閉扉装置１０；引き戸装置１２；戸枠１４；上部枠部１６；閉扉駆動用コード１８；引き戸２０；閉扉駆動装置２２；閉扉位置側端部２４；開扉位置側端部２６；ラック歯２８；ケーシング３０；歯車３２；歯３４；係合保持部材３６；歯車３８；制動装置４０；コイルバネ４４；自動閉扉装置キット４６；支持シート４８；バネ付勢力調整部材１５２；係合凹部１５４；バネ部材１４２；係合凸部１４２−１；巻き過ぎ防止部材１５８；凹部１６２；凸部１６４；軸部３０−１；Ｏリング１６６；円形凹部１６８；溝１５２−１；緩み調整部材１７２；板バネ１７４；係合部２４２−１
【図１】
0005462448.tif 000002
【図２】
0005462448.tif 000003
【図３】
0005462448.tif 000004
【図４】
0005462448.tif 000005
【図５】
0005462448.tif 000006
【図６】
0005462448.tif 000007
【図７】
0005462448.tif 000008
【図８】
0005462448.tif 000009
【図９】
0005462448.tif 000010
【図１０】
0005462448.tif 000011
【図１１】
0005462448.tif 000012
【図１２】
0005462448.tif 000013
【図１３】
0005462448.tif 000014
【図１４】
0005462448.tif 000015
【図１５】
0005462448.tif 000016
【図１６】
0005462448.tif 000017